(57)【要約】【課題】ＬＥＤチップの発熱を効率良く放熱することが可能な、また、電線接続の際の衝撃をＬＥＤ実装部に伝わり難くすることが可能な、ＬＥＤユニットを提供する。【解決手段】電線１６を圧接した状態のユニットサブアッシー２の上からカバー３を下ろし、そして、このカバー３をユニットサブアッシー２に係止させるようにして組み付けを行うと、ＬＥＤユニット１が完成する。ＬＥＤユニット１は、放熱スペース２６及び２７を有することから、ＬＥＤチップ９が発熱しても、一対のバスバー５、６の非実装面１４から放熱スペース２６に放熱されて、また、一対のバスバー５、６の電線接続部１１から放熱スペース２７に放熱されて、これらからユニット外側に放熱される。ＬＥＤチップ９の発熱は、効率良く放熱される。【選択図】図７
2010212322.tif 000002
【特許請求の範囲】
【請求項１】
ＬＥＤチップと、導電性を有する金属製のバスバーと、絶縁性を有する合成樹脂製のハウジングとを含むＬＥＤユニットにおいて、
前記ＬＥＤチップを実装するための実装面と、該実装面の反対側となる非実装面とを有するＬＥＤ実装部を前記バスバーに形成するとともに、該バスバーが一体化する前記ハウジングに放熱用開口を形成し、さらに、前記非実装面と前記放熱用開口との間に放熱スペースを形成する
ことを特徴とするＬＥＤユニット。
【請求項２】
請求項１に記載のＬＥＤユニットにおいて、
前記非実装面がある側に屈曲する放熱片を前記ＬＥＤ実装部に連成するとともに、前記放熱片を前記ハウジングの側部に露出させる
ことを特徴とするＬＥＤユニット。
【請求項３】
請求項１又は請求項２に記載のＬＥＤユニットにおいて、
電線を接続するための電線接続部を前記バスバーに形成するとともに、前記電線を接続する際の衝撃を吸収するための衝撃吸収部を前記電線接続部と前記ＬＥＤ実装部との間に形成する
ことを特徴とするＬＥＤユニット。
【請求項４】
請求項３に記載のＬＥＤユニットにおいて、
前記衝撃吸収部を、前記ＬＥＤ実装部が上側に連続し且つ前記電線接続部が下側に連続するような、前記バスバーの屈曲部分として形成する
ことを特徴とするＬＥＤユニット。
【請求項５】
請求項３又は請求項４に記載のＬＥＤユニットにおいて、
前記電線接続部の下側に第二の放熱スペースを形成する
ことを特徴とするＬＥＤユニット。
【発明の詳細な説明】
【技術分野】
【０００１】
本発明は、構成にＬＥＤチップとバスバーとハウジングとを含むＬＥＤユニットに関する。
【背景技術】
【０００２】
内部照明の光源として自動車の車室内を照らしたり、コンソールボックスやグローブボックス、小物収容ポケットや灰皿などの小物入れの内部を照らしたり、カップホルダ自体を照らしたり、足下を照らしたりするＬＥＤユニット（ＬＥＤランプモジュールと呼ぶこともある）、或いは、外部照明の光源としてストップランプやテールランプに用いられたりするＬＥＤユニットは、例えば下記特許文献１に開示されている。
【先行技術文献】
【特許文献】
【０００３】
【特許文献１】特開２００５−９３９００号公報
【発明の概要】
【発明が解決しようとする課題】
【０００４】
ところで、上記従来のＬＥＤユニットにあっては、ＬＥＤチップを高輝度タイプのものに変更した場合、ＬＥＤチップから生じる熱を効率良く放熱することができないという問題点を有している。
【０００５】
また、上記従来のＬＥＤユニットにあっては、ＬＥＤ実装部の直ぐ隣で電線を圧接する構造を採用するとともに、直線的なバスバーでＬＥＤチップと電線圧接部分とをつなぐ構造を採用することから、電線圧接の際の衝撃がＬＥＤ実装部に伝わり易く、ＬＥＤチップの半田付けに影響を来してしまうという問題点を有している。
【０００６】
本発明は、上記した事情に鑑みてなされたもので、ＬＥＤチップの発熱を効率良く放熱することが可能な、また、電線接続の際の衝撃をＬＥＤ実装部に伝わり難くすることが可能な、ＬＥＤユニットを提供することを課題とする。
【課題を解決するための手段】
【０００７】
上記課題を解決するためになされた請求項１記載の本発明のＬＥＤユニットは、ＬＥＤチップと、導電性を有する金属製のバスバーと、絶縁性を有する合成樹脂製のハウジングとを含むＬＥＤユニットにおいて、前記ＬＥＤチップを実装するための実装面と、該実装面の反対側となる非実装面とを有するＬＥＤ実装部を前記バスバーに形成するとともに、該バスバーが一体化する前記ハウジングに放熱用開口を形成し、さらに、前記非実装面と前記放熱用開口との間に放熱スペースを形成することを特徴としている。
【０００８】
このような特徴を有する本発明によれば、放熱スペースを有するＬＥＤユニットになる。ＬＥＤチップの発熱は、バスバーの非実装面から放熱スペースに放熱されて、ここからユニット外側に放熱される。ＬＥＤチップの発熱は、効率良く放熱される。
【０００９】
本発明によれば、放熱スペースは、バスバーを直接空冷するスペース（バスバー空冷スペース）でもあるものとする。
【００１０】
請求項２記載の本発明のＬＥＤユニットは、請求項１に記載のＬＥＤユニットにおいて、前記非実装面がある側に屈曲する放熱片を前記ＬＥＤ実装部に連成するとともに、前記放熱片を前記ハウジングの側部に露出させることを特徴としている。
【００１１】
このような特徴を有する本発明によれば、放熱スペースの他に放熱片も有するＬＥＤユニットになる。ＬＥＤチップの発熱は、更に効率良く放熱される。
【００１２】
請求項３記載の本発明のＬＥＤユニットは、請求項１又は請求項２に記載のＬＥＤユニットにおいて、電線を接続するための電線接続部を前記バスバーに形成するとともに、前記電線を接続する際の衝撃を吸収するための衝撃吸収部を前記電線接続部と前記ＬＥＤ実装部との間に形成することを特徴としている。
【００１３】
このような特徴を有する本発明によれば、バズバーに衝撃吸収部を有するＬＥＤユニットになる。電線接続（電線圧接）の際に生じる衝撃は、衝撃吸収部に吸収されてＬＥＤ実装部に伝わらない、若しくはＬＥＤ実装部に伝わり難くなる。
【００１４】
請求項４記載の本発明のＬＥＤユニットは、請求項３に記載のＬＥＤユニットにおいて、前記衝撃吸収部を、前記ＬＥＤ実装部が上側に連続し且つ前記電線接続部が下側に連続するような、前記バスバーの屈曲部分として形成することを特徴としている。
【００１５】
このような特徴を有する本発明によれば、非直線的な形状のバスバーになり、電線接続（電線圧接）の際に生じる衝撃は、屈曲部分として形成される衝撃吸収部に吸収されてＬＥＤ実装部に伝わらない、若しくはＬＥＤ実装部により一層伝わり難くなる。また、本発明によれば、電線を接続する位置がＬＥＤチップを実装する位置と異なるようになることから、電線接続の際に例えば電線でＬＥＤチップのレンズ面等を損傷させてしまうような不具合を避けることが可能になる。
【００１６】
請求項５記載の本発明のＬＥＤユニットは、請求項３又は請求項４に記載のＬＥＤユニットにおいて、前記電線接続部の下側に第二の放熱スペースを形成することを特徴としている。
【００１７】
このような特徴を有する本発明によれば、二つの放熱スペースを有するＬＥＤユニットになる。バスバーの電線接続部に伝わったＬＥＤチップの発熱は、ここから第二の放熱スペースに放熱される。ＬＥＤチップの発熱は、更に効率良く放熱される。
【発明の効果】
【００１８】
請求項１に記載された本発明によれば、ＬＥＤチップの発熱を放熱スペースによって効率良く放熱することができるという効果を奏する。これにより、熱による影響を防ぐことができるという効果を奏する。
【００１９】
請求項２に記載された本発明によれば、ＬＥＤチップの発熱を放熱スペース及び放熱片によって効率良く放熱することができるという効果を奏する。これにより、熱による影響をより確実に防ぐことができるという効果を奏する。
【００２０】
請求項３に記載された本発明によれば、電線接続（電線圧接）の際の衝撃をＬＥＤ実装部に伝えない、若しくは伝わり難くすることができるという効果を奏する。これにより、ＬＥＤチップの実装に係る信頼性向上を図ることができるという効果を奏する。
【００２１】
請求項４に記載された本発明によれば、非直線的な形状のバスバーにして電線接続（電線圧接）の際の衝撃をＬＥＤ実装部に伝えない、若しくはより一層伝え難くすることができるという効果を奏する。これにより、ＬＥＤチップの実装に係る信頼性を更に向上させることができるという効果を奏する。
【００２２】
請求項５に記載された本発明によれば、ＬＥＤチップの発熱を二つの放熱スペースによって効率良く放熱することができるという効果を奏する。これにより、熱による影響をより一層確実に防ぐことができるという効果を奏する。
【図面の簡単な説明】
【００２３】
【図１】本発明のＬＥＤユニットの斜視図である。
【図２】ＬＥＤユニットの分解斜視図である。
【図３】バスバーの斜視図、及びバスバーをインサート成形しない場合の形状を示すハウジングの斜視図である。
【図４】バスバーをハウジングにインサート成形してなる、インサート成形品の斜視図である。
【図５】インサート成形品におけるバスバーにＬＥＤチップを実装してなる、ユニットサブアッシーの斜視図である。
【図６】電線を接続した状態のユニットサブアッシーの斜視図である。
【図７】ＬＥＤユニットの断面図である。
【図８】ＬＥＤユニットの底面図である。
【発明を実施するための形態】
【００２４】
ＬＥＤユニットは、ＬＥＤチップの発熱を効率良く放熱する部分と、電線接続（電線圧接）の際の衝撃をＬＥＤ実装部に伝わり難くする部分とを有する。
【実施例】
【００２５】
以下、図面を参照しながら実施例を説明する。図１は本発明のＬＥＤユニットの斜視図である。また、図２はＬＥＤユニットの分解斜視図、図３はバスバー及びハウジングの斜視図、図４はインサート成形品の斜視図、図５はユニットサブアッシーの斜視図、図６は電線を接続した状態のユニットサブアッシーの斜視図、図７はＬＥＤユニットの断面図、図８はＬＥＤユニットの底面図である。
【００２６】
図１及び図２において、引用符号１は本発明のＬＥＤユニットを示している。ＬＥＤユニット１は、特に限定するものでないが、従来同様に自動車の一部品として用いられている。ＬＥＤユニット１は、ユニットサブアッシー２と、このユニットサブアッシー２に装着されるカバー３とを備えて構成されている。カバー３には、ＬＥＤ用レンズ４が設けられている。以下、各構成部材について説明する。
【００２７】
図２において、ユニットサブアッシー２は、一対のバスバー５、６をハウジング７にインサート成形してなるインサート成形品８と、一対のバスバー５、６に跨って実装されるＬＥＤチップ９とを備えて構成されている。
【００２８】
尚、本実施例においては、図２におけるカバー３とユニットサブアッシー２の並ぶ方向を上下方向、一対のバスバー５、６の長手方向（ユニットサブアッシー２の長手方向）を前後方向、一対のバスバー５、６の並ぶ方向を左右方向と定義するものとする。
【００２９】
図３において、一対のバスバー５、６は、導電性を有する金属板を打ち抜き、そして、折り曲げ加工することにより、図示のような形状に形成されている（形状は一例であるものとする）。一対のバスバー５、６は、上記前後方向にのびるように形成されている。一対のバスバー５、６は、それぞれ、ＬＥＤ実装部１０と、電線接続部１１と、衝撃吸収部１２とを有している。
【００３０】
ＬＥＤ実装部１０は、ＬＥＤチップ９を実装する実装面１３と、この実装面１３の反対側となる非実装面１４（図８参照）とを有している。実装面１３及び非実装面１４は、平坦な面となるように形成されている。実装面１３は、ＬＥＤ実装部１０の上面（外面）として配置形成されている。また、非実装面１４は、ＬＥＤ実装部１０の下面（内面）として配置形成されている。
【００３１】
バスバー５のＬＥＤ実装部１０と、バスバー６のＬＥＤ実装部１０は、所定の間隔をあけるようにして配置されている。各ＬＥＤ実装部１０の左側部、右側部には、放熱片１５が連成されている。放熱片１５は、非実装面１４がある側に曲げることにより形成されている。放熱片１５は、本実施例において、長方形状の壁となるように形成されている。放熱片１５の外面及び内面は、平坦な面となるように形成されている。
【００３２】
電線接続部１１は、電線１６（図２参照）を接続するための部分として形成されている。本実施例における電線接続部１１は、圧接刃１７を有するように形成されている。バスバー５の電線接続部１１と、バスバー６の電線接続部１１は、圧接刃１７の位置が前後方向にずれるように形成されている。圧接刃１７の形状は、一般的な形状であり、ここでの説明は省略するものとする。
【００３３】
衝撃吸収部１２は、電線接続部１１とＬＥＤ実装部１０との間に配置形成されている。衝撃吸収部１２は、電線１６を圧接刃１７に圧接する際の衝撃を吸収するための部分として（衝撃を直接的にＬＥＤ実装部１０に伝わらないようにするための部分として）形成されている。
【００３４】
衝撃吸収部１２は、この上側にＬＥＤ実装部１０が連続するように形成されている。また、衝撃吸収部１２は、この下側に電線接続部１１が連続するように形成されている。衝撃吸収部１２は、この高さ寸法が後述する放熱スペース２６の寸法に合うように設定されている。衝撃吸収部１２は、ＬＥＤ実装部１０と電線接続部１１とを段違いにするように形成されている。衝撃吸収部１２は、バスバー５、６における屈曲部分となるように形成されている。
【００３５】
ハウジング７は、絶縁性を有する合成樹脂材料の射出成形によって図示のような形状に形成されている。尚、ハウジング７は、一対のバスバー５、６がインサート成形されることから、図３に示すような単体で存在する部品ではないものとする（便宜上、図３のように示している）。
【００３６】
ハウジング７は、底なしの箱形状部１８と、この底なしの箱形状部１８の後部且つ下側に連成される板形状部１９とを有している。底なしの箱形状部１８は、上壁、左壁、右壁、前壁、後壁、及び内部空間を有しており、下壁は存在せず、この下壁の位置が放熱用開口２０として開口形成されている。放熱用開口２０は、上記内部空間（後述する放熱スペース２６に相当）に連通するように形成されている。
【００３７】
底なしの箱形状部１８は、一対のバスバー５、６における各ＬＥＤ実装部１０及び衝撃吸収部１２をインサート成形する部分として形成されている。
【００３８】
底なしの箱形状部１８の上壁には、一対の窓２１が形成されている。一対の窓２１は、インサート成形の後、一対のバスバー５、６における各ＬＥＤ実装部１０の実装面１３が露出するようになっている。また、非実装面１４が上記内部空間（後述する放熱スペース２６に相当）に露出するようにもなっている。一対の窓２１の間には、ブリッジ部分２２が形成されている。このブリッジ部分２２には、ＬＥＤチップ９（図２参照）の位置決めとして機能する穴２３（図４参照）が形成されている。
【００３９】
底なしの箱形状部１８の左壁及び右壁には、凹部２４と、ロック部２５とが形成されている。凹部２４は、インサート成形の後、一対のバスバー５、６における各放熱片１５の外面が露出するように形成されている。ロック部２５は、カバー３（図２参照）を引っ掛けて係止することができる部分として形成されている。
【００４０】
板形状部１９は、一対のバスバー５、６における各電線接続部１１をインサート成形する部分として形成されている。
【００４１】
一対のバスバー５、６における各ＬＥＤ実装部１０の非実装面１４と、ハウジング７における放熱用開口２０との間には、上記内部空間からなる放熱スペース２６（図７参照）が形成されている。また、板形状部１９には、電線接続部１１の下面を露出させるようにして、高さ寸法の低い放熱スペース２７（第二の放熱スペース）が形成されている（図７参照。尚、放熱スペース２７（第二の放熱スペース）の設定は任意であるものとする）。放熱スペース２６及び２７は、言い換えれば、一対のバスバー５、６を直接空冷することができる部分として形成されている。
【００４２】
一対のバスバー５、６をハウジング７にインサート成形すると、図４に示すようなインサート成形品８が形成されるようになっている。そして、このようなインサート成形品８の一対のバスバー５、６における各ＬＥＤ実装部１０に、図５に示すようにＬＥＤチップ９を半田付けによって実装すると、ユニットサブアッシー２が形成されるようになっている。ＬＥＤチップ９は、公知のものを用いているので、ここでの説明は省略するものとする。
【００４３】
図６は電線１６を圧接した状態のユニットサブアッシー２を示している。ユニットサブアッシー２は、電線１６を圧接すると、電源に繋がるようになっている。
【００４４】
図１、図２、及び図７において、カバー３は、ユニットサブアッシー２の形状に合わせて形成されている。カバー３に設けられるＬＥＤ用レンズ４は、ＬＥＤチップ９の実装位置に合わせて配置されている。カバー３の左右両側部には、ロック部２８が形成されている。ロック部２８は、ユニットサブアッシー２のロック部２５に係止されるように形成されている。ロック部２８の後方には、電線１６を引き出す部分としてのスリット２９が複数形成されている。
【００４５】
上記構成及び構造において、図２に示すように電線１６を圧接した状態のユニットサブアッシー２の上からカバー３を下ろし、そして、このカバー３をユニットサブアッシー２に係止させるようにして組み付けを行うと、図１に示すような状態のＬＥＤユニット１が完成する。ＬＥＤユニット１は、図７及び図８に示すように、放熱スペース２６及び２７を有することから、ＬＥＤチップ９が発熱しても、一対のバスバー５、６の非実装面１４から放熱スペース２６に放熱されて、また、一対のバスバー５、６の電線接続部１１から放熱スペース２７に放熱されて、これらからユニット外側に放熱される。従って、ＬＥＤチップ９の発熱は、効率良く放熱される。この他、ユニットサブアッシー２の左右両側に露出する放熱片１５もＬＥＤチップ９の放熱に寄与する。
【００４６】
以上、図１ないし図８を参照しながら説明してきたように、本発明によれば、放熱スペース２６及び２７を有することから、ＬＥＤチップ９の発熱を効率良く放熱することができるという効果を奏する。これにより、熱による影響を防ぐことができるという効果を奏する。
【００４７】
また、本発明によれば、バスバー５、６に衝撃吸収部１２を設けていることから、電線１６を圧接する際の衝撃をＬＥＤ実装部１０（具体的にはＬＥＤチップ９の半田付け部分）に伝えない、若しくは伝わり難くすることができるという効果を奏する。これにより、ＬＥＤチップ９の実装に係る信頼性向上を図ることができるという効果を奏する。
【００４８】
さらに、本発明によれば、バスバー５、６に上下方向にのびる衝撃吸収部１２を設けていることから、電線１６を圧接する位置がＬＥＤチップ９を実装する位置と異なり、圧接の際に例えば電線１６でＬＥＤチップ９のレンズ面等を損傷させてしまうような不具合を避けることができるという効果を奏する。これにより、ＬＥＤチップ９を良好に機能させることができるという効果を奏する。
【００４９】
この他、本発明によれば、ＬＥＤユニット１全体を従来のＬＥＤユニット（図示省略。特開２００５−９３９００号公報参照）よりも低背化することができるという効果を奏する。
【００５０】
本発明は本発明の主旨を変えない範囲で種々変更実施可能なことは勿論である。
【符号の説明】
【００５１】
１…ＬＥＤユニット
２…ユニットサブアッシー
３…カバー
４…ＬＥＤ用レンズ
５、６…バスバー
７…ハウジング
８…インサート成形品
９…ＬＥＤチップ
１０…ＬＥＤ実装部
１１…電線接続部
１２…衝撃吸収部
１３…実装面
１４…非実装面
１５…放熱片
１６…電線
１７…圧接刃
１８…底なしの箱形状部
１９…板形状部
２０…放熱用開口
２１…窓
２２…ブリッジ部分
２３…穴
２４…凹部
２５…ロック部
２６…放熱スペース
２７…放熱スペース（第二の放熱スペース）
２８…ロック部
２９…スリット
【図１】
2010212322.tif 000003
【図２】
2010212322.tif 000004
【図３】
2010212322.tif 000005
【図４】
2010212322.tif 000006
【図５】
2010212322.tif 000007
【図６】
2010212322.tif 000008
【図７】
2010212322.tif 000009
【図８】
2010212322.tif 000010